(57)【要約】【課題】粉粒物を正確に計量でき、安価に製造できる粉粒物用の計量スプーンを提供する。【解決手段】底壁部３６及び該底壁部３６の周縁に立設された側壁部３０を備え、前記側壁部３０の端縁に形成された開口部４から粉粒物を掬い取って貯留する計量部３と、該計量部３に延設された把持部２とを備え、前記側壁部３０に表示部が形成された粉粒物用の計量スプーン１であって、前記計量部３は、透明又は半透明の樹脂製であり、前記表示部は、前記計量部３の内面から外面に向かい凹む凹状であることよりなる。【選択図】図１
0003165327.tif 000002
【実用新案登録請求の範囲】
【請求項１】
底壁部及び該底壁部の周縁に立設された側壁部を備え、前記側壁部の端縁に形成された開口部から粉粒物を掬い取って貯留する計量部と、該計量部に延設された把持部とを備え、前記側壁部に表示部が形成された粉粒物用の計量スプーンであって、
前記計量部は、透明又は半透明の樹脂製であり、前記表示部は、前記計量部の内面から外面に向かい凹む凹状であることを特徴とする粉粒物用の計量スプーン。
【請求項２】
前記表示部は、文字又は数字であることを特徴とする、請求項１に記載の粉粒物用の計量スプーン。
【請求項３】
前記表示部は、図形であることを特徴とする、請求項１に記載の粉粒物用の計量スプーン。
【請求項４】
前記表示部は、前記底壁部から前記開口部に向かう高さ方向を示す線であることを特徴とする、請求項１に記載の粉粒物用の計量スプーン。
【請求項５】
前記表示部は、前記底壁部又は前記開口部と略平行で、前記側壁部の内周方向に延びる凹条であることを特徴とする、請求項４に記載の粉粒物用の計量スプーン。
【請求項６】
前記側壁部には、前記底壁部又は前記開口部と略平行で、前記側壁部の内周方向に延びる段差部が形成されていることを特徴とする、請求項１〜３のいずれか１項に記載の粉粒物用の計量スプーン。
【請求項７】
前記表示部の深さは、前記粉粒物の平均粒子径より大きいことを特徴とする、請求項１〜６のいずれか１項に記載の粉粒物用の計量スプーン。
【請求項８】
前記表示部の深さは、前記側壁部の厚さの１０〜５０％であることを特徴とする、請求項１〜７のいずれか１項に記載の粉粒物用の計量スプーン。
【請求項９】
前記開口部の周縁は、前記把持部の延設方向に対し略直交し、前記開口部を挟んで前記把持部と対向する位置に形成された前縁部を備え、
前記側壁部には、前記前縁部から前記底壁部に向かうに従い前記把持部に近づく前壁部が形成され、
前記表示部は、前記前壁部に形成されていることを特徴とする、請求項１〜８のいずれか１項に記載の粉粒物用の計量スプーン。
【請求項１０】
前記計量部は、前記底壁部から前記開口部に向かうに従い拡開することを特徴とする、請求項１〜９のいずれか１項に記載の粉粒物用の計量スプーン。
【考案の詳細な説明】
【技術分野】
【０００１】
本考案は、粉粒物用の計量スプーンに関する。
【背景技術】
【０００２】
一般に、衣料用洗濯洗剤や自動食器洗浄機用洗剤等の粉粒物は、容器に収納され、この容器に付属された計量スプーンで計量されて使用に供される。容器に付属させる計量スプーンは、粉粒物を掬い取る器状の計量部と、この計量部に延設された把持部とを備え、計量部が粉粒物の使用量に応じた容量とされたものである。
計量スプーンの使用方法は、容器内の粉粒物を計量部で掬い取って計量し、計量した粉粒物を洗濯機等に投入するものであり、粉粒物を計量する際には、計量部に形成された目盛線に合わせて粉粒物を掬い取ったり、計量部の開口縁部で摺り切って、所望の量に調整する。このため、計量部には、用量に応じて計量できるように、例えば、シルクスクリーン印刷やタンポ印刷等により、線、矢印、文字等の計量目盛が形成されている。
印刷により形成された表示部は、視認性に優れるものの、長期の使用の間にかすれたりして視認性が低下する。加えて、印刷による計量目盛の形成方法は、計量スプーンを成形した後の加工となるため、製造コストが高いという問題がある。
【０００３】
こうした問題に対し、目盛要素を滑らかな面で形成し、バックグラウンドを梨地のような粗面とした目盛付き計量カップが開示されている（例えば、特許文献１）。この計量カップによれば、目盛の位置を容易に認識できると共に、粗面と平滑面とのコントラストにより目盛が明瞭になる。
また、計量部の周側壁に段部を設け、この段部を中間目盛線とした計量スプーンが開示されている（例えば、特許文献２）。この計量スプーンによれば、印刷によらず、目盛線を形成できる。
あるいは、内面に凸状の目盛線が形成された容器が開示されている（例えば、特許文献３〜４）。
【先行技術文献】
【特許文献】
【０００４】
【特許文献１】特開２０１０−１２７８６９号公報
【特許文献２】特開２００９−１２２０２９号公報
【特許文献３】特開２００４−２５４９８０号公報
【特許文献４】実公昭２３−１５１８号公報
【考案の概要】
【考案が解決しようとする課題】
【０００５】
しかしながら、特許文献１〜４の技術では、表示部と、表示部が形成された壁面とが同一色であるため、計量部に粉粒物を入れると、表示部を読み取りにくいという問題があった。加えて、粉粒物をより正確に計量できる計量スプーンが求められている。
そこで、粉粒物を正確に計量でき、安価に製造できる粉粒物用の計量スプーンを目的とする。
【課題を解決するための手段】
【０００６】
本考案の粉粒物用の計量スプーンは、底壁部及び該底壁部の周縁に立設された側壁部を備え、前記側壁部の端縁に形成された開口部から粉粒物を掬い取って貯留する計量部と、該計量部に延設された把持部とを備え、前記側壁部に表示部が形成された粉粒物用の計量スプーンであって、前記計量部は、透明又は半透明の樹脂製であり、前記表示部は、前記計量部の内面から外面に向かい凹む凹状であることを特徴とする。
前記表示部は、文字又は数字であってもよく、図形であってもよく、前記底壁部から前記開口部に向かう高さ方向を示す線であってもよく、前記底壁部又は前記開口部と略平行で、前記側壁部の内周方向に延びる凹条であってもよい。
前記側壁部には、前記底壁部又は前記開口部と略平行で、前記側壁部の内周方向に延びる段差部が形成されていてもよい。
前記表示部の深さは、前記粉粒物の平均粒子径より大きいことが好ましく、前記表示部の深さは、前記側壁部の厚さの１０〜５０％であることが好ましい。
前記開口部の周縁は、前記把持部の延設方向に対し略直交し、前記開口部を挟んで前記把持部と対向する位置に形成された前縁部を備え、前記側壁部には、前記前縁部から前記底壁部に向かうに従い前記把持部に近づく前壁部が形成され、前記表示部は、前記前壁部に形成されていることが好ましい。
前記計量部は、前記底壁部から前記開口部に向かうに従い拡開することが好ましい。
【考案の効果】
【０００７】
本考案の粉粒物用の計量スプーンによれば、計量部と把持部とを備え、計量部の側壁部に表示部が形成された粉粒物用の計量スプーンであって、計量部は、透明又は半透明の樹脂製であり、表示部が計量部の内面から外面に向かい凹む凹状であるため、表示部を視認しやすく、粉粒物を正確に計量でき、かつ安価に製造できる。
本考案の粉粒物用の計量スプーンによれば、表示部が文字又は数字であるため、表示部の情報を容易かつ正確に視認できる。
本考案の粉粒物用の計量スプーンによれば、表示部が図形であるため、表示部の情報を容易かつ正確に視認できる。
本考案の粉粒物用の計量スプーンによれば、表示部が底壁部から開口部に向かう高さ方向を示す線であるため、掬い取った粉粒物を容易に計量できる。
本考案の粉粒物用の計量スプーンによれば、表示部が前記底壁部又は前記開口部と略平行で、前記側壁部の内周方向に延びる凹条であるため、粉粒物を正確に計量できる。
本考案の粉粒物用の計量スプーンによれば、側壁部には、底壁部又は開口部と略平行で、側壁部の内周方向に延びる段差部が形成されているため、粉粒物を正確に計量できる。
本考案の粉粒物用の計量スプーンによれば、表示部の深さが粉粒物の平均粒子径より大きいため、表示部の視認性をより高めることができる。
本考案の粉粒物用の計量スプーンによれば、表示部の深さが側壁部の厚さの１０〜５０％であるため、側壁部の強度を十分に維持しつつ、表示部の視認性を高めることができる。
本考案の粉粒物用の計量スプーンによれば、前記開口部の周縁は、前記把持部の延設方向に対し略直交し、前記開口部を挟んで前記把持部と対向する位置に形成された前縁部を備え、前記側壁部には、前記前縁部から前記底壁部に向かうに従い前記把持部に近づく前壁部が形成され、前記表示部は、前記前壁部に形成されているため、成形が容易である。
本考案の粉粒物用の計量スプーンによれば、計量部が底壁部から開口部に向かうに従い拡開しているため、保管又は流通における省スペース化が図れる。
【図面の簡単な説明】
【０００８】
【図１】本考案の第一の実施形態にかかる計量スプーンの斜視図である。
【図２】（ａ）図１の計量スプーンの平面図である。（ｂ）図１の計量スプーンの右側面図である。（ｃ）図１の計量スプーンの底面図である。（ｄ）図１の計量スプーンの正面図である。（ｅ）図１の計量スプーンの背面図である。
【図３】図２（ａ）の計量スプーンのＸ−Ｘ断面の斜視図である。
【図４】（ａ）図２（ａ）のＸ−Ｘ断面の一部を示す部分断面図である。（ｂ）図４（ａ）の拡大図である。
【図５】本考案の第二の実施形態にかかる計量スプーンの斜視図である。
【図６】図５のＹ−Ｙ断面の一部を示す部分断面図である。
【図７】従来の表示部が形成された計量スプーンの断面斜視図である。
【図８】（ａ）図７の一部を示す部分断面図である。（ｂ）図７（ａ）の拡大図である。
【考案を実施するための形態】
【０００９】
（第一の実施形態）
本考案の第一の実施形態にかかる粉粒物用の計量スプーン（以下、単に計量スプーンということがある）について、以下に図面を参照して説明する。図１（ａ）は、本実施形態の計量スプーン１の右側面からの斜視図であり、図１（ｂ）は、本実施形態の計量スプーン１の左側面からの斜視図である。
図１〜３に示すように、計量スプーン１は、粉粒物を掬い取る器状の計量部３と、計量部３に延設された把持部２とを備えるものである。
【００１０】
計量部３は、粉粒物を掬い取って計量するものであり、平板状の底壁部３６及び底壁部３６の周縁に立設された側壁部３０を備え、側壁部３０の端縁を周縁（開口周縁）４０とする開口部４が形成されたものである。開口周縁４０は、その輪郭が把持部２の延設方向を長手とする平面視略八角形とされ、粉粒物を摺り切り可能に同一平面内に位置するものである。側壁部３０は、底壁部３６から開口部４に向かうに従い拡開するものとされ、平面視において、底壁部３６の輪郭が開口周縁４０の輪郭の内側に位置するものとされている。また、底壁部３６は、平面視において、開口周縁４０の輪郭に対応した形状、即ち略八角形とされている。
【００１１】
開口周縁４０は、後縁部４１と、後部側縁部４２と、中央側縁部４３と、前部側縁部４４と、前縁部４５とが形成されたものである。後縁部４１は、把持部２の延設方向に略直交しかつ把持部２の基端に位置するものであり、前縁部４５は、後縁部４１と離間しかつ略平行に対向するものである。即ち、前縁部４５は、開口部４を挟んで把持部２と対向する位置に形成されたものである。
後部側縁部４２は、後縁部４１の両端から前縁部４５に向かい、対向する後部側縁部４２同士が漸次離間して拡開するように延びるものである。前部側縁部４４は、前縁部４５の両端から後縁部４１に向かい、対向する前部側縁部４４同士が漸次離間して拡開するように延びるものである。中央側縁部４３は、把持部２の延設方向と略平行に延び、後部側縁部４２と前部側縁部４４とを連結するものであり、後部側縁部４２と中央側縁部４３と前部側縁部４４とで、排出部５が形成されている。
【００１２】
側壁部３０は、後壁部３１と、離間して対向する２つの後部側壁部３２と、離間して対向する２つの中央側壁部３３と、離間して対向する２つの前部側壁部３４と、後壁部３１と離間して対向する前壁部３５とを備えるものである。
後壁部３１は、後縁部４１から略垂直に垂下され、次いで前縁部４５方向に屈曲しつつ底壁部３６と連結されたものであり、底壁部３６との連結部から後縁部４１にかけて略同等の幅とされている。
前壁部３５は、前縁部４５から垂下され、底壁部３６と連結されたものであり、底壁部３６に向かうに従い後壁部３１に近づくものとされている。また、前壁部３５は、底壁部３６との連結部から前縁部４５にかけて略同等の幅とされている。
後部側壁部３２は、後部側縁部４２から垂下され底壁部３６と連結すると共に後壁部３１と連結されたものであり、底壁部３６との連結部から後部側縁部４２にかけて略同等の幅とされている。
中央側壁部３３は、中央側縁部４３から垂下され、底壁部３６と連結すると共に後部側壁部３２と連結されたものであり、対向する中央側壁部３３同士は、底壁部３６に向かうに従い近づくものとされている。また、中央側壁部３３は、底壁部３６との連結部から中央側縁部４３にかけて略同等の幅とされている。
前部側壁部３４は、前部側縁部４４から垂下され、底壁部３６と連結されると共に中央側壁部３３及び前壁部３５と連結されたものであり、底壁部３６から前部側縁部４４に向かうに従い拡幅するものとされている。
【００１３】
側壁部３０には、底壁部３６から開口部４に向かう高さ方向を示す第一の目盛線５０と第二の目盛線５２とが形成されている。
第一の目盛線５０は、側壁部３０の開口部４側に、後部側壁部３２と中央側壁部３３と前部側壁部３４と前壁部３５とにわたって形成された段差部であり、開口部４と略平行で側壁部３０の内周方向に延びるものとされている。
第二の目盛線５２は、第一の目盛線５０と底壁部３６との間に、後部側壁部３２と中央側壁部３３と前部側壁部３４と前壁部３５とにわたって形成された段差部であり、開口部４と略平行で、側壁部３０の内周方向に延びるものとされている。
【００１４】
前壁部３５の内面で、開口部４と第一の目盛線５０との間には、第一の表示部６０である「△」の図形と「６０」の数字とが刻設され、この第一の表示部６０は、計量部３の内面から外面に向かって凹む凹状のものとされている。本実施形態において、第一の表示部６０は、開口縁部４０に沿って摺り切って計量した粉粒物の量を表わすものであり、開口縁部４０に沿って摺り切って計量した粉粒物が６０ｇであることを示している。
前壁部３５の内面で、第一の目盛線５０と第二の目盛線５２との間には、第二の表示部６２である「△」の図形と「４０」の数字とが刻設され、この第二の表示部６２は、計量部３の内面から外面に向かって凹む凹状のものとされている。本実施形態において第二の表示部６２は、第一の目盛線５０に合わせて計量した粉粒物の量を表わすものであり、第一の目盛線５０に合わせて計量した粉粒物が４０ｇであることを示している。
前壁部３５の内面で、第二の目盛線５２と底壁部３６との間には、第三の表示部６４である「△」の図形と「２０」の数字とが刻設され、この第三の表示部６４は、計量部３の内面から外面に向かって凹む凹状のものとされている。本実施形態において、第三の表示部６４は、第二の目盛線５２に合わせて計量した粉粒物の量を表わすものであり、第二の目盛線５２に合わせて計量した粉粒物が２０ｇであることを示している。
【００１５】
図４（ａ）、（ｂ）に示すように、第一の表示部６０の内、例えば、数字「６」は、計量部３の内面から外面に向かって凹む凹状の溝６１により形成されたものである。溝６１は、計量部３の外面から内面に向かうに従い拡幅する形状とされている。溝６１をかかる形状とすることで、計量スプーン１を後述する射出成形で容易に製造できる。なお、図４（ａ）は、図２（ａ）のＸ−Ｘ断面の部分拡大図であり、Ｘ−Ｘ線は第一の表示部６０の数字「６」と、第二の表示部６２の数字「４」と、第三の表示部６４の数字「２」とを通るものである。また、図４（ｂ）は、図４（ａ）における領域Ｓ１の拡大図である。
また、図４（ａ）に示すように、例えば、第二の表示部６２の数字「４」は、計量部３の内面から外面に向かって凹む凹状の溝６３により形成されたものであり、溝６３は、計量部３の外面から内面に向かうに従い拡幅する形状とされている。
また、図４（ａ）に示すように、例えば、第三の表示部６４の数字「２」は、計量部３の内面から外面に向かって凹む凹状の溝６５により形成されたものであり、溝６５は、計量部３の外面から内面に向かうに従い拡幅する形状とされている。
【００１６】
後壁部３１の内面には、底壁部３６から開口部４に向かって延びる嵌合防止片７０が設けられている。
【００１７】
把持部２は、平板状のものであり、任意の面が開口部４の開口方向と同方向となるように、後縁部４１に連結されたものである。把持部２には、その周縁に凸条２０が形成されると共に、凸条２０に囲まれた領域が凹面２１とされている。
【００１８】
計量部３の高さＨ、即ち開口面４と底壁部３６の外面との距離は、計量部３に求める容量等を勘案して決定でき、例えば、３０〜５０ｍｍとされる。
計量部３の長手方向の長さＬ１、即ち後縁部４１と前縁部４５との距離は、計量部３に求める容量等を勘案して決定でき、例えば、５０〜８０ｍｍとされる。
また、計量部３の短手方向の長さＬ２、即ち中央側縁部４３同士の距離は、計量部３に求める容量等を勘案して決定でき、例えば、４５〜６５ｍｍとされる。
【００１９】
前壁部３５の傾斜角度、即ち前壁部３５に沿った傾斜線Ｐ１と開口部４に沿った天面Ｑとのなす角度θ１（図２（ｂ））は、粉粒物の性状や、計量部３の容量を勘案して決定でき、例えば、４５〜７５°が好ましく、５５〜７０°がより好ましい。４５°以上であれば計量部３の容量を十分に確保でき、７５°以下であれば、容易に前縁部４５を粉粒物に差し込んで、掬い取ることができる。
【００２０】
中央側壁部３３の傾斜角、即ち中央側壁部３３に沿った傾斜線Ｐ２と天面Ｑとのなす角度θ２（図２（ｄ））は、計量部３の容量等を勘案して決定でき、例えば、７５°以上９０°未満が好ましく、８０°以上９０°未満がより好ましい。７５°以上であれば計量部３の容量を十分に確保でき、９０°未満であれば、粉粒物の排出方向を制御し、洗剤投入口等の狭い間口に正確に投入できる。
【００２１】
第一の表示部６０の深さ、即ち溝６１の最深部の深さ（以下、単に深さということがある）Ｄ１は、被計量物である粉粒物の大きさ等を勘案して決定でき、好ましくは、粉粒物の平均粒子径より大きいものとされる。また、溝６１の深さＤ１は、第一の表示部６０が形成される側壁部３０の厚さ、本実施形態では前壁部３５の厚さＴ１を勘案して決定でき、例えば、深さＤ１は厚さＴ１の１０〜５０％が好ましく、２０〜４０％がより好ましい。１０％未満であると粉粒物が溝６１に充填されにくく、第一の表示部６０の視認性向上が図れない場合がある。５０％超であると前壁部３５の強度が著しく低下し、第一の表示部６０を形成した部分が破損しやすくなる。
また、溝部６１の幅Ｗ１は、表示する数字、図形又は文字等に応じて決定でき、例えば、数字を形成する溝６１の幅Ｗ１（図４（ｂ））は、粉粒物の平均粒子径より大きいものが好ましい。
なお、本明細書において、平均粒子径は、ベックマンコールター株式会社製  ＬＳ１３  ３２０型（乾式測定）により測定される値であり、体積基準のメディアン径（Ｄ５０；体積５０％径）である。
【００２２】
第二の表示部６２を形成する溝６３の最深部の深さは、溝６１の深さＤ１と同様であり、溝６３の幅は、溝６１の幅Ｗ１と同様である。
第三の表示部６４を形成する溝６５の最深部の深さは、溝６１の深さＤ１と同様であり、溝６５の幅は、溝６１の幅Ｗ１と同様である。
【００２３】
計量スプーン１の材質は、例えば、ポリエチレン、ポリプロピレン、ポリエチレンテレフタレート等の透明又は半透明の樹脂製である。
【００２４】
計量スプーン１の製造方法は、例えば、計量スプーン１の形状に対応するコアプレートとキャビティプレートよりなる金型を用い、前記金型内に計量スプーン１を構成する樹脂を射出して成形するもの（射出成形）が挙げられる。この際、コアプレートに、第一の表示部６０、第二の表示部６２、第三の表示部６４それぞれに対応する形状の凸部を形成することで、計量部３の内面から外面に向かって凹む凹状の表示部を形成できる。
【００２５】
次に、計量スプーン１の使用方法について説明する。計量スプーン１は、例えば、粉粒状の衣料用洗濯洗剤、粉粒状の自動食器洗浄機用洗剤等の粒状洗剤や、粉体調味料、粉体食品等の粉粒物を計量するものであり、粉粒物を収納した容器に付属されるものである。
以下に計量スプーン１の使用法について、容器に収納された粉粒物を計量する場合を例に挙げて説明する。
【００２６】
まず、把持部２を把持し、前縁部４５を容器内の粉粒物に差し込んで、粉粒物を計量部３に掬い取る。この際、前壁部３５が開口部４に対し角度θ１で傾斜しているため、容易に粉粒物を掬い取れる。加えて、前壁部３５が優先して粉粒物に差し込まれるので、前壁部３５に形成された第一の表示部６０、第二の表示部６２又は第三の表示部６４には、粉粒物が充填される。
【００２７】
次いで、粉粒物を開口縁部４０に沿って摺り切ったり、第一の目盛線５０又は第二の目盛線５２に合わせて量を加減して、粉粒物を任意の量に調整する。
例えば、粉粒物を第一の目盛線５０に合わせて計量する場合、通常、計量部３内に掬い取った粉粒物を少量ずつ排出し、計量部３内の粉粒物の天面と第一の目盛線５０とが略一致することを計量部３の外面から目視によって確認する。この際、第一の目盛線５０に合わせて計量した粉粒物の量を表わす第二の表示部６２には粉粒物が充填されているため、第二の表示部６２は、計量部３の外面から視認しやすいものとなる。
【００２８】
粉粒物を任意の量に計量した後、把持部２の延設方向を軸線とし、この軸線回りに計量スプーン１を回転させて、例えば、洗濯機や自動食器洗浄機に粉粒物を投入する。この際、計量部３内の粉粒物は、後部側壁部３２、中央側壁部３３、前部側壁部３４に沿い、中央側縁部４３に向かって流動し、排出部５から排出されるため、排出方向が良好に制御される。
【００２９】
上述の通り、本実施形態の計量スプーンによれば、計量部を構成する側壁部に、前縁部から底壁部に向かうに従い把持部に近づく前壁部が形成されているため、粉粒物を容易に掬い取れる。
本実施形態の計量スプーンは、側壁部に目盛線が形成されているため、計量部に掬い取った粉粒物を任意の量に調整できる。
また、側壁部が底壁部から開口部に向かうに従い拡開しているため、計量スプーンを重ねることができ、保管又は流通における省スペース化が図れる。
【００３０】
従来、表示部は、例えば、側壁部の内面に突設されたものが一般的であった。このような計量スプーンについて、図７〜８を用いて説明する。図７は、従来の表示部が形成された計量スプーン３００を示す断面斜視図であり、図８（ａ）は、従来の表示部が形成された計量スプーンの部分断面図であり、図８（ｂ）は、図８（ａ）における領域Ｓ２の拡大図である。
図７に示すように、計量スプーン３００は、平板状の底壁部３６と、底壁部３６の周縁に立設された側壁部３０とを備える計量部３０３と、計量部３０３に延設された把持部２とを備えるものである。前壁部３５の内面には、開口部４と第一の目盛線５０との間に第一の表示部３６０、第一の目盛線５０と第二の目盛線５２との間に第二の表示部３６２、第二の目盛線５２と底壁部３６との間に第三の表示部３６４が形成されている。
図８（ａ）、（ｂ）に示すように、第一の表示部３６０は、前壁部３５の内面に突設された突起３６１により形成されたものである（図８（ｂ））。
また、図８（ａ）に示すように、第二の表示部３６２は、前壁部３５の内面に突設された突起３６３により形成されたものであり、第三の表示部３６４は、前壁部３５の内面に突設された突起３６５により形成されたものである。
【００３１】
この計量スプーン３００のように、側壁部３０の内面の突起３６１、突起３６３、突起３６５により形成された表示部は、前壁部３５と同一色であるため、計量部３０３に粉粒物を入れると、表示部を読み取りにくいという問題があった。
本実施形態の計量スプーンは、計量部の内面から外面に向かって凹む凹状の表示部が形成されているため、該表示部に粉粒物が充填され、粉粒物が充填された表示部を計量部の外面から良好に視認できる。この結果、粉粒物を正確に計量できる。
【００３２】
（第二の実施形態）
本考案の第二の実施形態にかかる計量スプーンについて、以下に図５〜６を用いて説明する。なお、第一の実施形態と同じ構成には同じ符号を付してその説明を省略し、主に第一の実施形態と異なる点について説明する。第一の実施形態と異なる点は、目盛線を凹条とした点である。
【００３３】
図５に示す計量スプーン１００は、粉粒物を掬い取る器状の計量部１０３と、計量部１０３に延設された把持部２とを備えるものである。計量部１０３は、平面視略八角形の平板状の底壁部３６と、底壁部３６の周縁に立設された側壁部３０とを備え、側壁部３０の端縁を開口周縁４０とする開口部４が形成されたものである。
【００３４】
側壁部３０には、底壁部３６から開口部４に向かう高さ方向を示す第一の目盛線１５０と第二の目盛線１５２とが形成されている。
図６に示すように、第一の目盛線１５０は、計量部１０３の内面から外面に向かって凹む凹条であり、側壁部３０の開口部４側に、後部側壁部３２と中央側壁部３３と前部側壁部３４と前壁部３５とにわたって形成されたものである。即ち、第一の目盛線１５０は、開口部４と略平行で、側壁部３０の内周方向に延びる凹条である。第一の目盛線１５０は、計量部１０３の外面から内面に向かうに従い拡幅する形状とされている。
また、第二の目盛線１５２は、計量部１０３の内面から外面に向かって凹む凹条であり、第一の目盛線１５０と底壁部３６との間に、後部側壁部３２と中央側壁部３３と前部側壁部３４と前壁部３５とにわたって形成されたものである。即ち、第二の目盛線１５２は、開口部４と略平行で、側壁部３０の内周方向に延びる凹条である。第二の目盛線１５２は、計量部１０３の外面から内面に向かうに従い拡幅する形状とされている。
【００３５】
本実施形態によれば、計量部に粉粒物を掬い取った際に、第一の目盛線又は第二の目盛線に粉粒物が充填されるため、側壁部に段差を形成したり、目盛線を印刷したりすることなく、計量部の外面から視認性のよい目盛線を形成できる。
【００３６】
（その他の実施形態）
本考案は上述の実施形態に限定されるものではない。
第一〜第二の実施形態では、開口周縁の輪郭が、把持部の延設方向を長手とするものであるが、本考案はこれに限定されず、開口周縁の輪郭は、把持部の延設方向を短手とするものであってもよい。
また、第一〜第二の実施形態では、開口周縁の輪郭が、略八角形とされているが、本考案はこれに限定されず、開口周縁の輪郭は、真円形、楕円形等の円形であってもよいし、三角形、四角形、五角形、六角形等、八角形以外の多角形であってもよい。
【００３７】
第一〜第二の実施形態では、第一〜第三の表示部が前壁部に形成されているが、本考案はこれに限定されず、第一〜第三の表示部は、その全てが前壁部以外の側壁部に形成されていてもよいし、それぞれ異なる場所に形成されていてもよい。
【００３８】
第一〜第二の実施形態では、第一の表示部が開口縁部での計量値を、第二の表示部が第一の目盛線での計量値を、第三の表示部が第二の目盛線での計量値をそれぞれ表わすものとされている。本考案は、これに限定されず、例えば、第一の表示部が第一の目盛線での計量値を表わし、第二の表示部が第二の目盛線での計量値を表わすものであってもよい。
例えば、第一の表示部が第一の目盛線での計量値を表わすものである場合、粉粒物を掬い取る際に第一の表示部に粉粒物が充填されるため、第一の表示部を計量部の外面から容易に視認できる。
【００３９】
第一の実施形態では、第一及び第二の目盛線が側壁部に形成された段差部により形成されているが、本考案はこれに限定されず、目盛線は、シルクスクリーン印刷やタンポ印刷等の印刷により形成されていてもよい。また、第二の実施形態では、第一及び第二の目盛線が側壁部に形成された凹条により形成されているが、本考案はこれに限定されず、目盛線は、シルクスクリーン印刷やタンポ印刷等の印刷により形成されていてもよい。
【００４０】
第一〜第二の実施形態では、第一〜第三の表示部が図形と数字の組み合わせからなるものとされているが、本考案はこれに限定されず、第一〜第三の表示部が文字であってもよいし、図形と文字との組み合わせや数字と文字との組み合わせであってもよい。
【００４１】
第一〜第二の実施形態では、前壁部が開口部から底壁部に向かうに従い把持部に近づくように傾斜しているが、本考案はこれに限定されず、前壁部は傾斜していなくてもよい。
【符号の説明】
【００４２】
１、１００      計量スプーン
２        把持部
３、１０３      計量部
４        開口部
３０      側壁部
３５      前壁部
３６      底壁部
４０      開口周縁
４１      後縁部
４５      前縁部
５０、１５０    第一の目盛線
５２、１５２    第二の目盛線
６０      第一の表示部
６２      第二の表示部
６４      第三の表示部
【図１】
0003165327.tif 000003
【図２】
0003165327.tif 000004
【図３】
0003165327.tif 000005
【図４】
0003165327.tif 000006
【図５】
0003165327.tif 000007
【図６】
0003165327.tif 000008
【図７】
0003165327.tif 000009
【図８】
0003165327.tif 000010